(57)【要約】【課題】獲得したパチンコ玉又はメダルを計数する際の作業性を改善できる、遊技場のパチンコ玉又はメダル用計数機を提供すること。【解決手段】遊技場のパチンコ玉用計数機（１５）は、当該計数機の高さを変える調節機構（１７）を備える。調節機構は、固定台（１９ａ）と計数機を固定した可動台（１９ｂ）とを備える台座（１９）と、液圧シリンダ装置（２１）とからなる。調節機構の調節作用により、遊技者等の身体に合わせた状態でパチンコ玉を計数できるので、作業性が改善される。【選択図】  図１
2004208764.tif 000002
【特許請求の範囲】
【請求項１】
遊技場に設置するパチンコ玉又はメダル用計数機であって、
当該計数機の高さを変える調節機構を備える
ことを特徴とする、遊技場のパチンコ玉又はメダル用計数機。
【請求項２】
前記計数機の出口から排出されるパチンコ玉又はメダルを受け取るシュートと、
当該シュートの前記出口に近接する部分を前記計数機と連動して上下に移動させるシュート調節手段と、を備える
ことを特徴とする、請求項１に記載の遊技場のパチンコ玉又はメダル用計数機。
【請求項３】
前記シュートはパチンコ玉用スノコであり、
当該スノコ上を転がるパチンコ玉の速度を減ずる減速手段を備える
ことを特徴とする、請求項２に記載の遊技場のパチンコ玉又はメダル用計数機。
【請求項４】
前記計数機は台座に固定的に取りつけられ、前記台座が上下に調節可能である
ことを特徴とする、請求項１乃至３の何れかに記載の遊技場のパチンコ玉又はメダル用計数機。
【発明の詳細な説明】
【０００１】
【発明の属する技術分野】
この発明は、パチンコ遊技場又はパチスロ遊技場に設置するパチンコ玉又はメダル用計数機に関する。
【０００２】
【従来の技術】
パチンコ遊技場では、パチンコ島の妻側に、又は景品カウンタの近くに配置する、遊技者が獲得したパチンコ玉を計数する計数機を備えている。パチスロ遊技場には、同様にメダルを計数する計数機を備えている。これらの計数機は、ジェットカウンターなどと呼ばれることもあり、遊技場の中には、パチンコ玉用計数機とメダル用計数機の両方を備えているところもある。
【０００３】
【発明が解決しようとする課題】
前記計数機は、通常、遊技場の床から一定の高さにある台座に固定的に設置されているところ、パチンコ玉を収容した容器を計数機に持ち込む人の背丈は区々である。そのため、背の高い人は背を屈めるようにして、また背の低い人はつま先を伸ばすようにして容器を計数機の高さまで持ち上げ、パチンコ玉を放出しなければならず、作業性が悪い。しかも、多数のパチンコ玉を収容した容器の重量は相当なものとなるから、それを持ち上げる遊技者等に身体的な負担を掛けてしまう。同様な事態が、パチスロ用のメダル計数機についても生ずる。
【０００４】
【課題を解決するための手段】
この発明は、獲得したパチンコ玉又はメダルを計数する際の作業性の改善と遊技者等の身体的負担の軽減ができる、遊技場のパチンコ玉又はメダル用計数機を提供することを課題とする。この課題を解決するため、この発明の発明者は、計数機の高さを可変とした。計数機の高さを調節することにより、遊技者等の身体に合わせた状態でパチンコ玉やメダルを計数させるためである。発明の詳しい内容については項を改めて説明する。なお、何れかの請求項に記載した発明における用語の定義などは、発明の性質に反しない限り、別の請求項に記載した発明についても適用されるものとする。
【０００５】
（請求項１に記載した発明の構成）
請求項１に記載した発明に係る、遊技場のパチンコ玉又はメダル用計数機（以下、請求項１の計数機という）は、当該計数機の高さを変える調節機構を備えることを特徴とする。計数機はパチンコ島又はパチスロ島の妻側、景品カウンタの近傍、その他の場所に設置する。調節機構は、液圧シリンダ装置又はねじ機構を含み、計数機そのものの高さを変えたり、計数機を載せる台座の高さを変えたりすることができる。調節機構の作動は、上方移動用ＯＮ−ＯＦＦスイッチと、下方移動用ＯＮ−ＯＦＦスイッチとによって行う他、例えば、テレビカメラを計数機の近傍に設置しておき、映った映像と前もって記憶しておいたレベルとに基づいて自動的に行うことができる。調節機構による計数機の高さ調節は、高、中、低のような段階的とするか、任意の高さを選べる無段階的とすることができる。
【０００６】
（請求項１に記載した発明の作用効果）
請求項１の計数機によれば、パチンコ玉又はメダルを収容した容器を適切な高さに調節した計数機まで持ち上げ、容器からパチンコ玉又はメダルを計数機に放出することができるため、作業性を改善できる。また、パチンコ玉又はメダルを放出する際、極端な曲げ姿勢や伸び上がり姿勢をとる必要がなく、身体部位への負担を減らすことができる。
【０００７】
（請求項２に記載した発明の構成）
請求項２に記載した発明に係る、遊技場のパチンコ玉又はメダル用計数機（以下、請求項２の計数機という）は、請求項１の計数機に限定が加わり、前記計数機の出口から排出されるパチンコ玉又はメダルを受け取るシュートと、当該シュートの前記出口に近接する部分を前記計数機と連動して上下に移動させるシュート調節手段と、を備えることを特徴とする。シュートは、対象物がパチンコ玉であるか、メダルであるかによって、例えば、スノコとしたり、樋としたりすることができる。シュート調節手段は、例えば、シュートと出口とをヒンジで連結して形成するか、又はシュートと出口とを分離すると共に、シュートが常に出口と接触する状態を保つ、シュートを上方へ向けて偏倚、すなわち付勢するばねを設けて形成することができる。
【０００８】
（請求項２に記載した発明の作用効果）
請求項２の計数機によれば、計数機の高さを調節しても、計数機の出口とシュートの前記出口に近接する部分とが実質的に同じ位置関係を保つため、シュートと出口との間のすきまが大きくなり過ぎて、パチンコ玉やメダルが前記すきまに入ってしまったり、出口から落下したパチンコ玉又はメダルがシュートから跳ね上がってしまったりするような事故を未然に防ぐことができる。
【０００９】
（請求項３に記載した発明の構成）
請求項３に記載した発明に係る、遊技場のパチンコ玉又はメダル用計数機（以下、請求項３の計数機という）は、請求項２の計数機に限定が加わり、前記シュートはパチンコ玉用スノコであり、当該スノコ上を転がるパチンコ玉の速度を減ずる減速手段を備えることを特徴とする。減速手段は、例えば、ブラシ又はゴム若しくは樹脂製ローラを、パチンコ玉がブラシの自由端部やローラの表面を擦りながら転がるように、パチンコ玉の移動方向に対して直交状に配置して形成することができる。
【００１０】
（請求項３に記載した発明の作用効果）
請求項３の計数機によれば、シュートの傾斜が大きくなり、それに伴ってパチンコ玉の転がり速度が速くなったとき、減速手段によってパチンコ玉の転がり速度を減ずるため、パチンコ玉がシュートから外れて飛び出してしまう事故を未然に防ぐことができる。また、減速手段がパチンコ玉と接触するため、パチンコ玉に付着した埃等の汚れを除くことができる。
【００１１】
（請求項４に記載した発明の構成）
請求項４に記載した発明に係る、遊技場のパチンコ玉又はメダル用計数機（以下、請求項４の計数機という）は、請求項１乃至３の何れかに記載した計数機に限定が加わり、前記計数機は台座に固定的に取りつけられ、前記台座が上下に調節可能であることを特徴とする。台座を下方の固定台と、この固定台に対して上下に移動する上方の可動台とから形成し、計数機を可動台に固定する。
【００１２】
（請求項４に記載した発明の作用効果）
請求項４の計数機によれば、計数機と比べて大きな台座を上下に移動して計数機の高さを調節するため、調節機構の設置が容易である。
【００１３】
【発明の実施形態】
以下に図面を参照してこの発明の実施形態を説明する。図面中、図１はパチンコ島の妻側に設置した計数機の正面図、図２は図１の左側面図、図３はパチンコ島の妻側に設置した計数機の、図１とは異なる位置にある状態を示す正面図、図４は図３の左側面図、図５は計数機の出口と、シュートと、シュート調節手段と、減速手段とを示す拡大左側面図、図６は計数機の出口と、シュートと、シュート調節手段との別の実施形態を示す左側面図、図７は計数機と、シュートと、減速手段とを示す平面図、図８は計数機が高い位置にある状態を示す左側面図、図９は計数機が低い位置にある状態を示す左側面図、図１０は、パチンコ島の長さ方向へ伸びる仮想面で切断したパチンコ島の概略図である。
【００１４】
（パチンコ島の概略構成）
遊技場には、図１０に示すように形成したパチンコ島１０１が並列されている。パチンコ島１０１は、複数のパチンコ機１０３を、それぞれの遊技面が実質的に同一面上に位置するように横方向へ配列し、この２つの配列を背中合わせに設置して、つまり各パチンコ機の遊技面がパチンコ島１０１の外側に向くように設置して形成されている。したがって、図１０の手前側には遊技面を手前に向けた同数のパチンコ機が並んでいる。
【００１５】
各パチンコ機１０３で遊技に供されたパチンコ玉は集合樋１０５に落下し、集合樋１０５上を転がって下部タンク１０７に至る。一方、集合樋１０５からこぼれ落ちたパチンコ玉は貯蔵タンク１０９に一時的に貯蔵される。貯蔵タンク１０９の底面は下向き傾斜しているため、貯蔵タンク１０９内のパチンコ玉はミニリフト１１１に向けて転がり、ミニリフト１１１によって集合樋１０５まで持ち上げられる。その後、集合樋１０５上を転がり、下部タンク１０７に至る。パチンコ玉は、下部タンク１０７から揚送装置１１３によって上方へ持ち上げられ、その間に研磨される。そして、補給樋１１５を経て各パチンコ機１０３に補給される。パチンコ玉が補給樋１１５に入りきれない状態になると、パチンコ玉は上部タンク１１７に導かれ、分配樋１１９に流される。分配樋１１９には複数の分配チューブ１２１を、等間隔をおいて連結してあるため、パチンコ玉は分配チューブ１２１を経て貯蔵タンク１０９に分配される。
【００１６】
（計数機の構成）
パチンコ玉用計数機１５は、図１０に示す実施形態では、パチンコ島１０１の妻側に設置してある。この発明では、計数機１５の高さを変える調節機構を備えるが、計数機１５の計数機構は従来と同じである。計数機１５は、その前面に操作部（図示を省略）を備え、この操作部は、計数開始スイッチ、計数結果をプリントさせるための計数値プリントスイッチ及び各種データを書き込むためのカード挿入スリット等のカード関連装置等を備えている。
【００１７】
図１乃至４に示す調節機構１７は、台座１９と、液圧シリンダ装置２１と、を備える。台座１９は、固定台１９ａと、この固定台１９ａに対して上下に移動可能である、計数機１５を固定的に取りつけた可動台１９ｂと、からなる。平面形状が四角形を呈する箱状に固定台１９ａを形成し、床に固定する。一方、平面形状が四角形を呈するが、その全体が固定台１９ａ内に挿入できる大きさの箱状に可動台１９ｂを形成する。そして、一対のレール１９ｃ，１９ｃを固定台１９ａに垂直に取りつけ、レール１９ｃ，１９ｃと整合する溝を可動台１９ｂに設ける。可動台１９ｂの溝に固定台１９ａのレール１９ｃ，１９ｃを差し込んで、可動台１９ｂを上下に移動可能に固定台１９ａに取りつける。一方、液圧シリンダ装置２１のシリンダ２１ａを床に固定し、ロッド２１ｂを可動台１９ｂに連結する。これによって、台座１９が上下に調節可能となることから、計数機１５の高さを上下に変えることができる。
【００１８】
台座１９の固定台１９ａに上方移動用ＯＮ−ＯＦＦスイッチ２３と、下方移動用ＯＮ−ＯＦＦスイッチ２５とを取りつけ、これらのスイッチ２３，２５を液圧シリンダ装置２１のコントローラ（図示を省略）に接続する。なお、スイッチ２３，２５は、これらを固定台１９ａに設ける代わりに前記した計数機１５の操作部（図示を省略）に設けてもよい。操作部に設けることにより、スイッチ２３，２５が計数開始スイッチ等と併存することになり、この併存が各種の操作スイッチ等の集約を通じた遊技者等における操作性の向上に貢献する。つまり、遊技者等はスイッチ２３，２５を探して体を曲げたり手を伸ばしたりする必要がなくなり、すべて計数機１５の操作部の操作だけで計数機１５の高さ調節やパチンコ玉の計数等の作業を行うことが可能となる。
【００１９】
（計数機の高さ調節）
図１では計数機１５が最高高さにある状態を示している。この高さから計数機１５を下げるには、スイッチ２５をＯＮにする。スイッチ２５がＯＮの間、液圧シリンダ装置２１のロッド２１ｂが下がり続ける。そこで、計数機１５が、例えば図３に示す、適切な高さになったとき、スイッチ２５をＯＦＦにする。逆に、計数機１５を上げるには、スイッチ２３をＯＮにする。スイッチ２３がＯＮの間、液圧シリンダ装置２１のロッド２１ｂが上がり続ける。そこで、計数機１５が適切な高さになったとき、スイッチ２３をＯＦＦにする。
【００２０】
（計数機の別の実施形態１）
計数機１５が上下へ移動することから、計数機１５の出口１５ａと集合樋２７との間の相対高さが変動する。そこで、出口１５ａから排出されるパチンコ玉を受け取るシュート２９を出口１５ａと集合樋２７との間に配置すると共に、出口１５ａに近接するシュート２９の部分を計数機１５と連動して上下に移動させることが好ましく、そのために、計数機１５はシュート調節手段を備えている。
【００２１】
図２と、図４と、図５とに示す実施形態では、シュート調節手段３１は、出口１５ａとシュート２９の上方の端部２９ａとを連結するヒンジからなる。その結果、シュート２９の端部２９ａは、出口１５ａの上下への移動に連動して、図２の高い位置から、図４の低い位置へ移動する。
【００２２】
シュート２９の上方の端部２９ａが上下へ移動するとき、シュート２９の下方の端部２９ｂは集合樋２７の底面を摺りながら底面上を移動する。この底面上の移動を滑らかにすることが好ましく、そのために、図示の実施形態ではキャスタ３３を端部２９ｂに取り付けてある。キャスタ３３に代えてローラとすることもできる。
【００２３】
図６と、図８と、図９とに示す実施形態では、シュート調節手段３５は、シュート２９の上方の端部２９ａを上方へ向けて偏倚するばね３７と、シュート２９の下方の端部２９ｂを集合樋２７に連結するヒンジ３９と、からなる。シュート２９の上方の端部２９ａがばね３７によって上方へ偏倚しているため、端部２９ａは常に出口１５ａの底面と接触した状態で、出口１５ａの上下への移動に連動して、図８の高い位置から、図９の低い位置へ移動する。このとき、シュート２９の下方の端部２９ｂがヒンジ３９で集合樋２７に連結されているため、シュート２９の上方の端部２９ａは出口１５ａの底面を擦りながら水平方向へ移動する。この移動を滑らかに行うには、シュート２９の端部２９ａに、又は計数機１５の出口１５ａの底面に低摩擦剤のコーティングを貼り付けることが好ましい。
【００２４】
（計数機の別の実施形態２）
シュート２９の傾斜角度が大きいとき、つまり計数機１５の出口１５ａが高い位置にあるとき、シュート２９上を転がるパチンコ玉の速度が速くなってしまう。そこで、速度を減ずる減速手段を備えることが好ましい。
【００２５】
図５と、図７とに示す実施形態では、減速手段４１はブラシであり、３つのブラシを、パチンコ玉の転がる方向と実質的に直交するように間隔をおいて並べてある。この実施形態では、シュート２９は、パチンコ玉が転がることができる複数の溝を設けてスノコとしてあり、パチンコ玉Ｐ，Ｐ・・は溝の底面上を転がる。そこで、溝の各側板２９ｃに３つの切欠き２９ｄ，２９ｄ，２９ｄを設ける一方、集合樋２７の側板２７ａに３つのブラシ４１を回転可能に取り付けてある。
【００２６】
計数機１５の出口１５ａが高い位置になると、図５に示すように、３つのブラシ４１，４１，４１がシュート２９の切欠き２９ｄ，２９ｄ，２９ｄ内に入り、シュート２９の底面を転がるパチンコ玉Ｐ，Ｐ・・の表面を擦るようになる。これによって、パチンコ玉Ｐの転がり速度を減ずる。ところが、出口１５ａが低い位置になると、３つのブラシ４１，４１，４１は集合樋２７の側板２７ａに固定されているため、図４及び図９に示すように、シュート２９から離れて位置することになり、パチンコ玉Ｐ，Ｐ・・と接触しない。ブラシ４１の数量は、パチンコ玉が好ましい速度になるように経験的に定めることができる。
【００２７】
前記した実施形態、他の実施形態１及び他の実施形態２においては、計数機１５と調節機構１７（台座１９）とを別体に構成してあるが、両者を一体に構成してもよい。両者を一体化した場合は、たとえば、一体化させた台座自体に調節機構を設けることにより計数機の高さ調節を行うようにするとよい。また、計数機自体に調節機構を設けたり、計数機と台座との間に調節機構を設けることにより、計数機の高さ調節を可能とする方法もある。なお、これまで説明した計数機１５はパチンコ玉を計数するためのものであるが、メダルを計数する計数機の高さ調節についてもこれと同様に構成することができる。
【００２８】
【発明の効果】
この発明によれば、計数機の高さを変えることができるため、獲得したパチンコ玉又はメダルを計数する際の作業性を改善できる。さらに、計数しようとする遊技者等の身体的負担を軽減できる。
【図面の簡単な説明】
【図１】パチンコ島の妻側に設置した計数機の正面図で、計数機が高い位置にある状態を示している。
【図２】図１の左側面図で、パチンコ島の内部を併せて示してある。
【図３】パチンコ島の妻側に設置した計数機の、図１とは異なる低い位置にある状態を示す正面図である。
【図４】図３の左側面図で、パチンコ島の内部を併せて示してある。
【図５】計数機の出口と、シュートと、シュート調節手段と、減速手段とを示す拡大左側面図で、シュートはパチンコ玉が転がる方向へ伸びる仮想面で切断して示してある。
【図６】計数機の出口と、シュートと、シュート調節手段との別の実施形態を示す左側面図である。
【図７】計数機と、シュートと、減速手段とを示す平面図である。
【図８】計数機が高い位置にある状態を示す左側面図で、パチンコ島の内部を併せて示してある。
【図９】計数機が低い位置にある状態を示す左側面図で、パチンコ島の内部を併せて示してある。
【図１０】パチンコ島の長さ方向へ伸びる仮想面で切断したパチンコ島の概略図である。
【符号の説明】
１５    計数機
１５ａ  出口
１７    調節機構
１９    台座
１９ａ  固定台
１９ｂ  可動台
１９ｃ  レール
２１    液圧シリンダ装置
２１ａ  シリンダ
２１ｂ  ロッド
２３    上方移動用ＯＮ−ＯＦＦスイッチ
２５    下方移動用ＯＮ−ＯＦＦスイッチ
２７    集合樋
２９    シュート
２９ａ  上方の端部
２９ｂ  下方の端部
２９ｃ  側板
２９ｄ  切欠き
３１    シュート調節手段（ヒンジ）
３３    キャスタ
３５    シュート調節手段
３７    ばね
３９    ヒンジ
４１    減速手段（ブラシ）
１０１  パチンコ島
１０３  パチンコ機
１０５  集合樋
１０７  下部タンク
１０９  貯蔵タンク
１１１  ミニリフト
１１３  揚送装置
１１５  補給樋
１１７  上部タンク
１１９  分配樋
１２１  分配チューブ
【図１】
2004208764.tif 000003
【図２】
2004208764.tif 000004
【図３】
2004208764.tif 000005
【図４】
2004208764.tif 000006
【図５】
2004208764.tif 000007
【図６】
2004208764.tif 000008
【図７】
2004208764.tif 000009
【図８】
2004208764.tif 000010
【図９】
2004208764.tif 000011
【図１０】
2004208764.tif 000012